(57)【要約】      （修正有）【課題】屋根上設置物を取付けるための固定部材が何れの方向へ延びていても支持することが可能な支持金具を提供する。【解決手段】屋根材の上面に固定され屋根上に設置される屋根上設置物を固定するための固定部材を支持する支持金具１０である。屋根材の上面に固定されるベース部材２０と、ベース部材２０の上面に固定され、屋根上設置物を固定するための固定部材を挟持するようにして保持する保持部１２とを有する。【選択図】図２
0003189474.tif 000002
【実用新案登録請求の範囲】
【請求項１】
屋根材の上面に固定され屋根上に設置される屋根上設置物を固定するための固定部材を支持する支持金具であって、
屋根材の上面に固定されるベース部材と、
該ベース部材の上面に固定され、屋根上設置物を固定するための固定部材を挟持するようにして保持する保持部材とを有することを特徴とする支持金具。
【請求項２】
前記保持部材は、前記ベース部材に固定される底部と、該底部の一辺から上方に延出する保持部と、該保持部の下端から前記底部と逆方向に延出する載置部とからなり、
該保持部材は前記ベース部材に所定の間隔を空けて対向して配置固定され、
前記固定部材は、前記対向して配置固定された前記保持部材の前記載置部に載置されて挟持固定されることを特徴とする請求項１記載の支持金具。
【請求項３】
前記保持部材は、前記ベース部材に固定される底部と、該底部の対向する２辺から上方に延出する保持部と、該保持部の下端から対向するように延出する載置部とからなり、
該保持部材は、前記ベース部材に配置固定され、
前記固定部材は、前記保持部材の前記載置部に載置され挟持固定されることを特徴とする請求項１記載の支持金具。
【考案の詳細な説明】
【技術分野】
【０００１】
本考案は、屋根上に設置する屋根上設置物を固定するための固定部材を支持するための支持金具に関する。
【背景技術】
【０００２】
従来より、屋根上に屋根上設置物（例えば、太陽電池モジュール、太陽熱温水器、緑化体等）を設置するには、屋根材の上面に固定された支持金具に屋根上設置物を取付けるための固定部材（枠材、長尺状の桟材、井桁状に組まれた井桁材等）を支持させた上で、固定部材に対して屋根上設置物を取付けるようにしている。
【０００３】
この固定部材を支持する支持金具としては、支持瓦の上面から上方へ突出する支持膨部に対して、上方から被嵌して支持膨部に固定される一対の脚片と、脚片に対して瓦の流れ方向に延在し長尺状の固定部材を嵌合支持する一対の保持片とが一体的に形成された支持金具が知られている（特許文献１）。
【先行技術文献】
【特許文献】
【０００４】
【特許文献１】特開２００４−０２７８４３号公報
【考案の概要】
【考案が解決しようとする課題】
【０００５】
しかしながら、この支持金具は、固定部材を嵌合支持する一対の保持片を、板材を単に直線状に折曲げることで立上るように形成しているので、曲げ剛性が弱く、例えば、屋根の傾斜方向に対して直角方向（屋根の横方向）へ延びた固定部材を支持する場合、保持片の面に対して直角方向へ荷重が作用し易く、その荷重によって保持片が曲ってしまい、固定部材を介して屋根上設置物を充分に固定することができない問題がある。
従って、本考案の目的は、このような問題を解決して、屋根上設置物を固定するための固定部材の延びる方向に対して直角方向へ大きな荷重が作用しても充分に固定部材を支持することが可能な支持金具を実現することを目的とする。
【課題を解決するための手段】
【０００６】
上記課題を解決するため、本考案の支持金具は、屋根材の上面に固定され屋根上に設置される屋根上設置物を固定するための固定部材を支持する支持金具であって、屋根材の上面に固定されるベース部材と、該ベース部材の上面に固定され、屋根上設置物を固定するための固定部材を挟持するようにして保持する保持部材とを有することを特徴とする。
【０００７】
また、本考案の支持金具は、前記保持部材は、前記ベース部材に固定される底部と、該底部の一辺から上方に延出する保持部と、該保持部の下端から前記底部と逆方向に延出する載置部とからなり、該保持部材は前記ベース部材に所定の間隔を空けて対向して配置固定され、前記固定部材は、前記対向して配置固定された前記保持部材の前記載置部に載置されて挟持固定されることを特徴とする。
【０００８】
さらに、本考案の支持金具は、前記保持部材は、前記ベース部材に固定される底部と、該底部の対向する２辺から上方に延出する保持部と、該保持部の下端から対向するように延出する載置部とからなり、該保持部材は前記ベース部材に配置固定され、前記固定部材は、前記保持部材の前記載置部に載置され挟持固定されることを特徴とする。
【考案の効果】
【０００９】
本考案は、以上のように構成することにより、屋根上設置物を取付けるための固定部材が何れの方向へ延びていても支持することが可能な支持装置を提供することができる。
【図面の簡単な説明】
【００１０】
【図１】第１の実施形態に係る支持金具の構成を示した斜視図である。
【図２】支持金具をベース部材に設置する状態を示した分解斜視図である。
【図３】支持金具をベース部材に設置した状態を示した斜視図である。
【図４】支持金具によって固定部材を支持する状態を示した図である。
【図５】第２の実施形態に係る支持金具の構成を示した斜視図である。
【考案を実施するための形態】
【００１１】
以下、図面を参照して本考案に係る太陽光パネルの支持金具について説明する。
＜第１の実施形態＞
図１は、第１の実施形態に係る支持金具の構成を示した斜視図であり、図２は、支持金具をベース部材に設置する状態を示した分解斜視図であり、図３は、支持金具をベース部材に設置した状態を示した斜視図である。
支持金具１０は、例えば屋根上に設置される太陽光パネルを固定するための後述する固定部材３０を支持するものである。この支持金具１０は、同形状の２つの部材から構成されており、予め屋根材１に固定されたベース部材２０に２つの同形状の部材を所定の間隔を空けて対向するように設置する。
【００１２】
支持金具１０は、ベース部材２０に固定される底部１１と、底部１１の一辺から上方に延出した保持部１２と、保持部１２の下端から底部１１とは逆方向に延出した載置部１３とから構成されている。上記したように、この支持金具１０は、ベース部材２０に所定の間隔を空けて、かつ、対向するように設置する。これにより、対向する載置部１３に固定部材を載置し、対向する保持部１２で固定部材を挟持することができる。
【００１３】
支持金具１０の底部１１には、ベース部材２０に固定するために固定ビス１００が挿通可能な固定孔１１ａが設けられている。また保持部１２には、固定部材３０を挟持した際に固定部材３０を保持及び固定するためのボルト２００を挿通するための長孔１２ａが設けられている。この長孔１２ａは、保持部１２の上下方向に延びるような形状である。
【００１４】
支持金具１０の下側に設置されるベース部材２０は、板状で平面視が略正方形に形成されており、４つの各辺に上方へ立ち上がる立ち上がり部２１と、対角線上の四隅及び対角線の交点にベース部材１０を屋根材１へ固定するためのボルト２００を挿通可能な固定孔２２と、支持金具１０の底部１１を固定ビス１００で固定するための孔２３とが設けられている。
【００１５】
このような構成により、ベース部材２０の孔２３に支持金具１０の底部１１に設けられている固定孔１１ａを位置合わせし、固定ビス１００で締結することでベース部材２０に支持金具１０を設置することができる。
【００１６】
次に、本実施形態の支持金具１０を用いて固定部材３０を支持する施行方法について説明する。
図４は、支持金具によって固定部材を支持する状態を示した図である。
支持金具１０は、ベース部材２０に対して予め組み付けられた状態であって、この支持金具１０に対し、二つの保持部１２の間に固定部材３０を挿入し、二つの載置部１３の上端に固定部材３０を載置する。そして、それぞれの保持部１２に設けられた長孔１２ａを介して外側からワッシャー３００とナット４００とが挿通されたボルト２００で締結することで支持金具１０に対して固定部材３０が支持された状態となる。
【００１７】
また、固定部材３０が長尺状であって、複数の支持金具１０で支持する場合、ベース部材２０を介して屋根材１へ取り付けられる支持金具１０の取付位置の違いのズレ、屋根材１の種類や傾斜角度等によっては、固定部材３０に対するそれぞれの支持金具１０の相対的な高さが異なる場合があるが、支持金具１０の保持部１２の長孔１２ａによって固定部材３０を支持する位置を調整することができる。
【００１８】
次に、第２の実施形態に係る支持金具について説明する。
図５は、第２の実施形態に係る支持金具の構成を示した斜視図である。
なお、支持金具が設置されるベース部材２０と第２の実施形態に係る支持金具に固定部材３０を固定する方法については、上記で説明したものと同様であるため説明は省略する。
図５は、第２の実施形態に係る支持金具の構成を示した斜視図である。
図示するように、第２の実施形態に係る支持金具１０は、略六角形状の底部１１と、対向する２辺からそれぞれ上方に延出した保持部１２と、それぞれの保持部１２の下端から対向するようにして延出した載置部１３とから構成されている。
【００１９】
支持金具１０の底部１１には、ベース部材２０に固定するために固定ビス１００が挿通可能な固定孔１１ａが設けられている。また保持部１２には、固定部材３０を挟持した際に固定部材３０を保持及び固定するためのボルト２００を挿通するための長孔１２ａが設けられている。この長孔１２ａは、保持部１２の上下方向に延びるような形状である。
【符号の説明】
【００２０】
１    屋根材
１０    支持金具
１１    底部
１１ａ    固定孔
１２    保持部
１２ａ    長孔
１３    載置部
２０    ベース部材
２１    立ち上がり部
２２    固定孔
２３    孔
３０    固定部材
１００    固定ビス
２００    ボルト
３００    ワッシャー
４００    ナット
【図１】
0003189474.tif 000003
【図２】
0003189474.tif 000004
【図３】
0003189474.tif 000005
【図４】
0003189474.tif 000006
【図５】
0003189474.tif 000007